(57)【特許請求の範囲】
【請求項１】
左右一対のレンズＬ・Ｌを保持する眼鏡フロント枠Ｆの両側に配設されたエンドピースＥにヒンジ連結されて成る眼鏡テンプル部において、前記エンドピースＥにヒンジ連結される眼鏡テンプルＴの基端側には高弾性材料から成る可撓連結部材１が配設されていると共に、当該ヒンジ部から離れた可撓連結部材１の外側面側には、所要の剛性を有する係止添え木２がエンドピースＥ方向に分岐する如く持出されており、当該係止添え木２の先端側内側面にはガイド溝２１が形成されており、このガイド溝２１は可撓連結部材１のヒンジ部１１近傍の外縁凸部１２に添着衝止してロック可能である一方、眼鏡フロント枠Ｆに衝撃を受けると、同眼鏡フロント枠Ｆが傾動して前記可撓連結部材１が弾性変形し、係止添え木２のガイド溝２１を上下離反方向に脱離せしめてロック解除することによって、眼鏡への衝撃を吸収できることを特徴とする眼鏡の衝撃吸収機構。
【請求項２】
係止添え木２のガイド溝２１がテンプル軸方向に刻設されていることを特徴とする請求項１記載の眼鏡の衝撃吸収機構。
【請求項３】
可撓連結部材１がニッケル・チタン系超弾性合金によって作製されていることを特徴とする請求項１または２記載の眼鏡の衝撃吸収機構。
【請求項４】
可撓連結部材１が高弾性合成樹脂材料によって作製されていることを特徴とする請求項１または２記載の眼鏡の衝撃吸収機構。
【発明の詳細な説明】
【０００１】
【発明の属する技術分野】
本発明は、眼鏡の改良、更に詳しくは、簡単な構成で作製でき、眼鏡フロント枠に不慮の圧力が加わったとしても、この衝突エネルギーが弾性部材の復元弾力によって吸収することができる眼鏡の衝撃吸収機構に関するものである。
【０００２】
【従来の技術】
周知のとおり、眼鏡は近視や遠視、老視、乱視などの視力障害を矯正する補助具であると共に、強い可視光線や紫外線から目を保護する付加補正機能として用いる器具でもあり、我々は何らかの形で眼鏡を着用する機会が多い。
【０００３】
ところで、眼鏡は眼部から側頭部にかけて着用するが故に、接触や衝突などの不慮の圧力が加わると破損するおそれがあり、ノーズパッドやレンズの下縁が顔面にぶつかって顔面に障害を与える危険性があり、特に、レンズは割れるおそれもあるので非常に危険である。
【０００４】
従って、眼鏡着用者は、例えば、スポーツをする際にも顔面に対しては特に細心の注意を払わねばならず、もしもの場合に備えて少しでも安全性の高い眼鏡が望まれている。
【０００５】
【発明が解決しようとする課題】
本発明は、従来の眼鏡に上記のような欠点があったことに鑑みて為されたものであり、その目的とするところは、簡単な構成で作製でき、眼鏡フロント枠に不慮の圧力が加わったとしても、この衝突エネルギーが弾性部材の復元弾力によって吸収することができる眼鏡の衝撃吸収機構を提供することにある。
【０００６】
【課題を解決するための手段】
本発明者が上記課題を解決するために採用した手段を添付図面を参照して説明すれば次のとおりである。
【０００７】
即ち、本発明は、左右一対のレンズＬ・Ｌを保持する眼鏡フロント枠Ｆの両側に配設されたエンドピースＥにヒンジ連結されて成る眼鏡テンプル部において、前記エンドピースＥにヒンジ連結される眼鏡テンプルＴの基端側には高弾性材料から成る可撓連結部材１が配設されていると共に、当該ヒンジ部から離れた可撓連結部材１の外側面側には、所要の剛性を有する係止添え木２がエンドピースＥ方向に分岐する如く持出されており、当該係止添え木２の先端側内側面にはガイド溝２１が形成されており、このガイド溝２１は可撓連結部材１のヒンジ部１１近傍の外縁凸部１２に添着衝止してロック可能である一方、眼鏡フロント枠Ｆに衝撃を受けると、同眼鏡フロント枠Ｆが傾動して前記可撓連結部材１が弾性変形し、係止添え木２のガイド溝２１を上下離反方向に脱離せしめてロック解除することによって、眼鏡への衝撃を吸収できるという技術的手段を採用した。
【０００８】
また、本発明は、上記課題を解決するために、必要に応じて上記手段に加え、係止添え木２のガイド溝２１をテンプル軸方向に刻設するという技術的手段を採用した。
【０００９】
更にまた、本発明は、上記課題を解決するために、必要に応じて上記手段に加え、可撓連結部材１をニッケル・チタン系超弾性合金あるいは高弾性合成樹脂材料によって作製するという技術的手段を採用した。
【００１０】
【発明の実施の形態】
本発明の実施形態を具体的に図示した図面に基いて更に詳細に説明すると次のとおりである。
【００１１】
本発明の実施形態を図１から図５に基いて説明する。本実施形態の眼鏡は、左右一対のレンズＬ・Ｌを保持する眼鏡フロント枠Ｆの両側に配設されたエンドピースＥに眼鏡テンプルＴがヒンジ連結されて構成されている。
【００１２】
図中、符号１で指示するものは可撓連結部材であり、この可撓連結部材１は高弾性材料で作製されており、この高弾性材料にはβ−チタンなどのチタン基合金やニッケル系超弾性合金、タンタル、ニオブなどを含有したチタン基弾性合金、またはＰＰＳ（ポリフェニレンサルファイド）、高弾性ポリエチレン、ポリテトラフルオロエチレンなどの高弾性エンジニアリング樹脂などを使用することができるが、本実施形態では高弾性合金のβ−チタンを使用する。
【００１３】
符号２で指示するものは係止添え木であり、この係止添え木２は略直なる形状で、かつ、所要の剛性を有しており、ヒンジ連結部から離れた前記テンプルＴの基端部において、前記可撓連結部材１の外側面側にエンドピースＥ方向に分岐する如く持出されている。
【００１４】
この係止添え木２の先端側内側面にはガイド溝２１が形成されており、眼鏡を掛けている通常時においては、このガイド溝２１が、可撓連結部材１のヒンジ部１１近傍の外縁凸部１２に添着衝止してロックされた状態になっている。
【００１５】
そして、図２に示すように、眼鏡フロント枠Ｆに（例えば、前方から）衝撃を受けると、フロント枠Ｆが上側に傾動して前記可撓連結部材１が弾性変形し、係止添え木２のガイド溝２１を上下離反方向に脱離してロックが解除される（図３参照）。
【００１６】
このように、眼鏡フロント枠Ｆに不慮の圧力が加わった場合でも、この衝突エネルギーを弾性部材の弾性変形および復元弾力によって吸収することができるのである。
【００１７】
本実施形態では、係止添え木２のガイド溝２１をテンプル軸方向に刻設することにより、可撓連結部材１の外縁凸部１２と同方向になり、係止し易いと共に、衝撃時の係止添え木２の脱離に対する適度な抗力を発生させることもできる。
【００１８】
本発明は概ね上記のように構成されるが、本発明は図示の実施形態に限定されるものでは決してなく、「特許請求の範囲」の記載内において種々の変更が可能であって、例えば、可撓連結部材１の使用材料はβ−チタンに限らず、他の弾性金属材料や高弾性樹脂を使用することができる。
【００１９】
また、係止添え木２の外側に彫刻や模様を施すことにより装飾性を付与しても良いし、更にまた、本実施形態はフルリム眼鏡、ハーフリム眼鏡、リムレス眼鏡を問わずに採用することができ、何れのものも本発明の技術的範囲に属する。
【００２０】
【発明の効果】
以上、実施形態をもって説明したとおり、本発明にあっては、テンプルに可撓連結部材を配設して、この可撓連結部材に掛脱自在な係止添え木が外部からの衝撃に対応して脱離するので、もし、眼鏡フロント枠に不慮の圧力が加わった場合でも、この衝突エネルギーを弾性部材の弾性変形および復元可能によって吸収することができるので、着用時の安全性が向上することから、実用上の利用価値は頗る高いものがあると云える。
【図面の簡単な説明】
【図１】本発明の実施形態を表わす全体上面図である。
【図２】本発明の実施形態を表わす説明側面図である。
【図３】本発明の実施形態を表わす説明側面図である。
【図４】本発明の実施形態を表わす部分拡大上面図である。
【図５】本発明の実施形態を表わす部分拡大斜視図である。
【符号の説明】
１    可撓連結部材
１１  ヒンジ部
１２  外縁凸部
２    係止添え木
２１  ガイド溝
Ｆ    眼鏡フロント枠
Ｌ    レンズ
Ｅ    エンドピース
Ｔ    テンプル
【図１】
0003579674.tif 000002
【図２】
0003579674.tif 000003
【図３】
0003579674.tif 000004
【図４】
0003579674.tif 000005
【図５】
0003579674.tif 000006